(57)【要約】【目的】電話端末に実装されるプロトコルの種類にかかわらず、キャッチホンサービスの実現を可能とする電話通信方法及び装置を提供する。【構成】パケットデータネットワークを介して電話通話信号を音声パケットの形態にて送受信する電話通信方法であり、複数の電話端末との間を接続し電話通話信号を中継する。割り込み元の電話端末から該複数の電話端末の何れかの割り込み着信先電話端末に対する割り込み信号を受信し、該割り込み着信先電話端末に該割り込み信号を転送し、該割り込み着信先電話端末からのフッキング信号に応じて、該第１中継ステップにより設定された接続を保留し、該割り込み元の電話端末と該割り込み着信先電話端末との間を接続し電話通話信号を中継すると共に、該複数の電話端末のうち該割り込み着信先電話端末以外の電話端末に、保留音信号を音声パケットの形態にて送信する。本発明による電話通信装置はかかる方法を実行する。【選択図】  図３
2005020676.tif 000002
【特許請求の範囲】
【請求項１】
パケットデータネットワークを介して電話通話信号を音声パケットの形態にて送受信する電話通信方法であって、
複数の電話端末との間を接続し電話通話信号を中継する第１接続ステップと、割り込み元の電話端末から前記複数の電話端末の何れかの割り込み着信先電話端末に対する割り込み信号を受信し、前記割り込み着信先電話端末に該割り込み信号を転送する割り込み信号転送ステップと、
前記割り込み着信先電話端末からのフッキング信号に応じて、前記第１中継ステップにより設定された接続を保留し、前記割り込み元の電話端末と前記割り込み着信先電話端末との間を接続し電話通話信号を中継する第２接続ステップと、
前記複数の電話端末のうち前記割り込み着信先電話端末以外の電話端末に、保留音信号を音声パケットの形態にて送信する保留音送信ステップと、を含むことを特徴とする電話通信方法。
【請求項２】
前記第１及び第２接続ステップは、ＳＩＰプロトコル又はＩＴＵ−Ｔ勧告Ｈ．３２３に基づくプロトコルによりなすことを特徴とする請求項１記載の電話通信方法。
【請求項３】
保留音送信ステップは、前記保留音パケットをＲＴＰプロトコルに基づくパケットにて送信することを特徴とする請求項２記載の電話通信方法。
【請求項４】
パケットデータネットワークに接続され、前記パケットデータネットワークを介して電話通話信号を音声パケットの形態にて送受信する電話通信装置であって、
複数の電話端末との間を接続し電話通話信号を中継する第１接続手段と、
割り込み元の電話端末から前記複数の電話端末の何れかの割り込み着信先電話端末に対する割り込み信号を受信し、前記割り込み着信先電話端末に該割り込み信号を転送する割り込み信号転送手段と、
前記割り込み着信先電話端末からのフッキング信号に応じて、前記第１中継手段により設定された接続を保留し、前記割り込み元の電話端末と前記割り込み着信先電話端末との間を接続し電話通話信号を中継する第２接続手段と、
前記複数の電話端末のうち前記割り込み着信先電話端末以外の電話端末に、保留音信号を音声パケットの形態にて送信する保留音送信手段と、を含むことを特徴とする電話通信装置。
【請求項５】
前記第１及び第２接続手段は、前記電話通信信号のアナログ信号と音声パケットのデジタル信号との間で相互に符号化又は復号化する手段を含むことを特徴とする請求項４記載の電話通信装置。
【請求項６】
公衆電話回線網の局線を収容する局線収容手段を含むことを特徴とする請求項４又は５記載の電話通信装置。
【請求項７】
前記複数の電話端末のうちの少なくとも１つを含むことを特徴とする請求項４乃至６の何れか１記載の電話通信装置。
【発明の詳細な説明】
【０００１】
【発明の属する技術分野】
本発明は、ＩＰ（Ｉｎｔｅｒｍｅｔ  Ｐｒｏｔｏｃｏｌ）の如きパケットデータネットワークを介して電話通話信号を送受信する電話通信方法及び装置に関する。
【０００２】
【従来の技術】
公衆電話回線網（以下、ＰＳＴＮ：Ｐｕｂｌｉｃ  Ｓｕｂｓｃｒｉｂｅｒ  Ｔｅｌｅｐｈｏｎｅ  Ｎｅｔｗｏｒｋと称する）に接続される電話端末がキャッチホンに加入していれば、通話中にもＰＳＴＮを介した他の電話端末からの呼の着信を受けることができる。
一方、ＶｏＩＰ（Ｖｏｉｃｅ  ｏｖｅｒ  Ｉｎｔｅｒｍｅｔ  Ｐｒｏｔｏｃｏｌ）電話サービスと称されるＩＰネットワークを介した電話サービスが実用化されている。かかるサービスにおいては、専用のＩＰ電話端末同士で通話が可能であるばかりか、かかるＩＰ電話端末とＰＳＴＮに接続された通常の電話端末との間で各々を発信元又は着信先として通話をなすこともできる。ＶｏＩＰの実現には、さまざまのプロトコルや、データ圧縮、アドレス検索などの検索が必要となる。かかるプロトコルとしては、非特許文献１に示すＩＴＵ−Ｔ勧告Ｈ．３２３、或いはＳＩＰ（Ｓｅｓｓｉｏｎ  Ｉｎｉｔｉａｔｉｏｎ  Ｐｒｏｔｏｃｏｌ）等のプロトコルがある。ＳＩＰに関しては非特許文献２が参照される。
【０００３】
ＩＴＵ−Ｔ勧告Ｈ．３２３に従ったＶｏＩＰプロトコルを前提として、ＩＰ電話サービスにおいてもキャッチホンサービスの提供することが考えられる。その場合には、非特許文献３に示すＩＴＵ−Ｔ勧告Ｈ．４５０に規定される保留・転送等の付加的サービスに関する規格が用いられ得る。
【０００４】
【非特許文献１】ＩＴＵ−Ｔ勧告  Ｈ．３２３
【０００５】
【非特許文献２】ＩＥＴＦ標準仕様ＲＦＣ２５４３
【０００６】
【非特許文献３】ＩＴＵ−Ｔ勧告  Ｈ．４５０
【０００７】
【発明が解決しようとする課題】
しかし、ＶｏＩＰプロトコルを利用したキャッチホンサービスによる呼転送を行うためには、通話中の対向するＩＰ電話端末の両方がかかる規格に基づく機能が実装されている必要がある。このことは、通話に割り込みを要求する割り込んで着信する電話端末がＩＰ電話端末である場合のみならず、ＰＳＴＮを介した通常の電話端末である場合も同様である。電話通信は、事前には不特定の相手先電話端末とも通信し得る状況を常に確保する必然性があることから、特定のプロトコルの規格に従っているかいないにかかわらず、キャッチホンサービスが実現されることが望まれている。
【０００８】
本発明は、かかる問題点に鑑みてなされたものであり、その目的は、パケットデータネットワークに接続される電話端末に実装されるプロトコルの種類にかかわらず、キャッチホンサービスの実現を可能とする電話通信方法及び装置を提供することである。
【０００９】
【課題を解決するための手段】
本発明による電話通信方法は、パケットデータネットワークを介して電話通話信号を音声パケットの形態にて送受信する電話通信方法であり、複数の電話端末との間を接続し電話通話信号を中継する第１接続ステップと、割り込み元の電話端末から該複数の電話端末の何れかの割り込み着信先電話端末に対する割り込み信号を受信し、該割り込み着信先電話端末に該割り込み信号を転送する割り込み信号転送ステップと、該割り込み着信先電話端末からのフッキング信号に応じて、該第１中継ステップにより設定された接続を保留し、該割り込み元の電話端末と該割り込み着信先電話端末との間を接続し電話通話信号を中継する第２接続ステップと、該複数の電話端末のうち該割り込み着信先電話端末以外の電話端末に、保留音信号を音声パケットの形態にて送信する保留音送信ステップと、を含むことを特徴とする。
【００１０】
本発明による電話通信装置は、パケットデータネットワークに接続され、該パケットデータネットワークを介して電話通話信号を音声パケットの形態にて送受信する電話通信装置であり、複数の電話端末との間を接続し電話通話信号を中継する第１接続手段と、割り込み元の電話端末から該複数の電話端末の何れかの割り込み着信先電話端末に対する割り込み信号を受信し、該割り込み着信先電話端末に該割り込み信号を転送する割り込み信号転送手段と、該割り込み着信先電話端末からのフッキング信号に応じて、該第１中継手段により設定された接続を保留し、該割り込み元の電話端末と該割り込み着信先電話端末との間を接続し電話通話信号を中継する第２接続手段と、該複数の電話端末のうち該割り込み着信先電話端末以外の電話端末に、保留音信号を音声パケットの形態にて送信する保留音送信手段と、を含むことを特徴とする。
【００１１】
【発明の実施の形態】
本発明の実施例について添付の図面を参照して詳細に説明する。
図１は、ＶｏＩＰ中継装置２０を含むシステム形態の全体を示している。ここで、ＶｏＩＰ中継装置２０は、公衆電話回線網１０（以下、ＰＳＴＮ１０と称する）と、ＩＰネットワーク３０とに接続される。ＰＳＴＮ１０には、複数のアナログ電話端末が接続され、ここでは例として２つのアナログ電話端末１１ａ及び１１ｂが示されている。ＩＰネットワーク３０は、インターネット又はイントラネット等のＩＰプロトコルによるパケットデータネットワークである。ＩＰネットワーク３０には、複数のＩＰ電話端末が接続され、ここでは例として３つのＩＰ電話端末３１ａ乃至３１ｃが示されている。ＩＰ電話端末３１ａ乃至１１ｃは、ＩＰ電話専用の端末であっても、音声入出力可能な通常のパーソナルコンピュータであっても良い。ＩＰネットワーク３０には、更に、ＳＩＰプロキシサーバ５０が接続される。ＳＩＰプロキシサーバ５０は、ＶｏＩＰおける呼接続の要求を受け付け、要求に基づく相手先端末の検索行い、適切な相手先端末との間で接続認証等の調停を行う機能を有する。
【００１２】
ＶｏＩＰ中継装置２０のハードウェア構成としては、通常の中央処理演算装置であるＭＰＵ（Ｍｉｃｒｏ  Ｐｒｏｃｅｓｓｏｒ  Ｕｎｉｔ）２１と、ＭＰＵ２１が実行するプログラムを記憶する通常のメモリである記憶部２２と、ＤＳＰ（Ｄｅｇｉｔａｌ  Ｓｉｇｎａｌ  Ｐｒｏｃｅｓｓｏｒ）２３と、局線収容部２４と、加入者線収容部２５と、ネットワーク制御部２６とを含み、これらはバス２９により相互に接続される。ＶｏＩＰ中継装置２０は、ＩＰ電話中継機能を備えるコンピュータ装置として構成され得る。従って、コンピュータ装置としての基本的な機能、例えば表示操作機能を担うディスプレイ及び操作釦等の構成部品を更に含み得る。
【００１３】
ＶｏＩＰ中継装置２０のＤＳＰ２３は、パス２９に接続され、通話信号である音声信号を処理する専用のデジタル信号プロセッサであり、音声アナログ信号をＰＣＭ符号化又は復号化（ＣＯＤＥＣ機能）、音声圧縮／伸長機能による音声パケットの処理を担う。ＤＳＰ２３は、更に、キャッチホンサービスのための保留音を生成し、これをＲＴＰ（Ｒｅａｌ−Ｔｉｍｅ  Ｔｒａｎｓｐｏｒｔ  Ｐｒｏｔｏｃｏｌ）パケットとし出力する機能を有する。
【００１４】
局線収容部２４は、ＰＳＴＮ１０に接続され、ＰＳＴＮ１０に含まれる電話交換機設備とのインタフェースを担い、呼の発信又は着信に基づく呼接続及び開放を含む呼制御シーケンスを実行する機能を有する。これにより、ＰＳＴＮ１０を経由したアナログ電話端末１１ａ乃至１１ｂの着信は局線収容部２４に入信され、その割り込み着信も局線収容部２４により受信される。
【００１５】
加入者線収容部２５は、電話端末４１に通常の電話通話線を介して接続される。変形例として、加入者線収容部２５は、複数の電話端末に接続されてかかる複数の電話端末を交換する交換機能を有して良い。また、電話端末４１をＶｏＩＰ中継装置２０に一体化して単独の装置とする構成も可能である。
ネットワーク制御部２６は、イーサネット（Ｅｔｈｅｒｎｅｔ）（登録商標）ケーブルによりＩＰネットワーク３０に接続され、イーサネット（登録商標）物理層の通信制御機能及びデータリンク層の通信制御をなすＭＡＣ（Ｍｅｄｉａ  Ａｃｃｅｓｓ  Ｃｏｎｔｒｏｌ）コントローラ機能を有する。
【００１６】
ＭＰＵ２１は、ＶｏＩＰ中継装置２０の基本動作制御を担う制御プログラムが動作すると共に、ＩＰ電話機能を実現するソフトウェアが実行される。かかるソフトウェアの構成は、ＩＰ電話機能の状態管理を行う状態管理部２１１と、電話端末４１との通信制御を担う加入者線管理部２１２と、ＰＳＴＮ１０を介した収容線の通信制御を担う局線管理部２１３と、ＳＩＰ（Ｓｅｓｓｉｏｎ  Ｉｎｉｔｉａｔｉｏｎ  Ｐｒｏｔｏｃｏｌ）プロトコルに基づくＶｏＩＰ通信制御を担う対地管理部２１４と、更に主にＤＳＰ２３により実行される音声処理部２１５とにより構成される（図２参照）。これらのソフトウェアの実行は、ＭＰＵ２１とＤＳＰ２３との間で適切に機能分担されても良い。
【００１７】
再び図１を参照してＳＩＰプロトコルについて説明する。ＳＩＰプロトコルは、ネットワーク層における通信制御を担うＩＰプロトコルよりは上位のアプリケーション層に位置するプロトコルあり、ネットワーク層に位置するＲＴＰ及びトランスポート層に位置するＵＤＰ（Ｕｓｅｒ  Ｄａｔａｇｒａｍ  Ｐｒｏｔｏｃｏｌ）プロトコルを用いて、ＩＰ電話における呼接続、切断及び維持等の呼制御、並びにＲＴＰ／ＵＤＰパケットのストリーム制御を行う。
【００１８】
ＳＩＰによる呼制御は、ＩＴＵ−Ｔ勧告Ｈ．３２３における高速接続の手順をベースとし、メッセージはＵＤＰパケットによってやり取りされる。最初に、発信側のＩＰ電話端末、例えばＩＰ電話端末３１ｂは、ＩＮＶＩＴＥメッセージを用いてＳＩＰプロキシサーバ５０に接続を要求する。このメッセージには、相手先の端末、例えばＩＰ電話端末３１ｃの電話番号又はＩＰアドレスの如き識別情報と、通信時に利用するコーデックやポート番号などの情報を含んでいる。次に、ＳＩＰプロキシサーバ５０は接続相手のＩＰ電話端末３１ｃの検索を行う。ＳＩＰプロキシサーバ５０は、要求された接続相手が自分の管理するユーザーでなければ他のサーバー（例えば、図示されない他のユーザグループのＳＩＰプロキシサーバ）に問い合わせして情報を交換し相手を探す。相手が見つかればＳＩＰプロキシサーバ５０は、接続相手のＩＰ電話端末３１ｃに接続要求を伝える。これもＩＮＶＩＴＥメッセージによりなされる。
【００１９】
図１の例におけるＩＰ電話端末３１ｃが接続を許可すると、ＩＰ電話端末３１ｃからのＳＩＰプロキシサーバ５０経由で発信元のＩＰ電話端末３１ｂに１００Ｔｒｙｉｎｇメッセージが送出される。この１００Ｔｒｙｉｎｇメッセージの送出に続けて、更に呼び出し状態になったことを意味する１８０ＲｉｎｇｉｎｇメッセージがＩＰ電話端末３１ｂに送られ、さらに操作者に対して着信があることを知らせる。
【００２０】
着信側のＩＰ電話端末３１ｃの操作者が受話器を取り上げるなどの動作を行って通話可能な状態になると、ＩＰ電話端末３１ｃは通話可能な状態になったことを通知するＯＫメッセージを送信し、さらに発信元のＩＰ電話端末３１ｂからＡＣＫメッセージが返ってくると通話が開始される。接続された後はＩＰ電話端末３１ｂとＩＰ電話端末３１ｃ同士が直接通信をおこない、音声データの送受信はＨ．３２３の場合と同様に、ＲＴＰを用いたＵＤＰパケットにより行われる。
【００２１】
尚、以上の呼接続シーケンスは、ＳＩＰプロトコルに代えて、同様にＩＰプロトコルを基礎とするＩＴＵ−Ｔ勧告Ｈ．３２３に基づくプロトコルにより実現されても良い。
図３は、図１に示されるＶｏＩＰ中継装置２０のキャッチホンサービス時の処理手順を示している。本図のシーケンスについて図１に示される構成要素を適宜参照して説明する。ＶｏＩＰ中継装置２０は、加入者線収容部２５と、局線収容部２４と、ＭＰＵ２１の実行による状態管理部と、ネットワーク制御部２７とが協働して動作する。
【００２２】
先ず、加入者線収容部２５を介した電話端末４１とネットワーク制御部を介してＩＰ電話端末、例えばＩＰ電話端末３１ａがＩＰ電話通話をなしている。すなわち、状態管理部（ＭＰＵ）２１は、電話端末４１とＩＰ電話端末３１ａとの間のＶｏＩＰセッション設定する（ステップＳ１１）。これにより、加入者線収容部２５は、電話端末４１からの通話に対して音声アナログ信号中継処理を行い（ステップＳ１２）。ネットワーク制御部２７は、ＩＰ電話端末３１ａからの通話を音声パケット中継処理する（ステップＳ１３）。両者の間で、音声信号がＤＳＰ２３により処理される。
【００２３】
この時、アナログ電話端末１１ａからの割り込み着信が発生すると、局線収容部２４は、ＰＳＴＮ着信を受け付ける（ステップＳ１４）。局線収容部２４からの着信通知に応じて、状態管理部（ＭＰＵ）２１は、通常の電話交換手順と同様にＩＩＴ（通話中着信表示音）送出指示をなす（ステップＳ１５）。このＩＩＴは、加入者線収容部２５に送出され、電話端末４１にて再生されることで、電話端末４１の操作者は、割り込み着信が到達したことを認識できる。
【００２４】
割り込み着信を認識した電話端末４１の操作者が、この着信を受け付ける場合には、受話器のフッキング操作を行う。若しくは割り込み着信を受け付けるための操作釦を操作する。これに応じて、加入者線収容部２５は、フッキング信号を受け付ける（ステップＳ１６）。
このフッキング信号は、状態管理部２１に通知にされる。これに応じて、状態管理部２１は、これまでのＶｏＩＰセッションを中断して、保留音送出指示を行う（ステップＳ１７）。これに応じて、ネットワーク制御部２７は、ＤＳＰ２３により生成される保留音ＲＴＰパケットをＩＰ電話端末３１ａに送出する（ステップＳ１８）。
【００２５】
ＶｏＩＰセッションの中断は、電話端末４１とＩＰ電話端末３１ａとの間のＶｏＩＰ上の呼接続を維持しつつ、ＲＴＰプロトコルに基づく音声パケットの交換を停止する、すなわち、電話端末４１からの音声は割り込んできたアナログ電話端末１１ａに転送され、一方、ＩＰ電話端末３１ａからの音声パケットは破棄される。これにより、電話端末４１とのアナログ電話端末１１ａとの通話が可能となる。すなわち、加入者線収容部２５は、電話端末４１に対して音声アナログ信号中継処理を行い（ステップＳ１９）。これに呼応して、局線収容部２４は、アナログ電話端末１１ａに対して音声アナログ信号中継処理を行う（ステップＳ２０）。
【００２６】
電話端末４１とのアナログ電話端末１１ａとの間の通話の後に、電話端末４１の操作者が通話を終了すると判断した場合には再びフッキング操作を行う。加入者線収容部２５は、このフッキング信号を受け付ける（ステップＳ２１）。このフッキング信号は状態管理部２６に転送され、状態管理部２６は中断していたＶｏＩＰセッションの回復処理を行う（ステップＳ２２）。すなわち、電話端末４１とＩＰ電話端末３１ａとの間のＶｏＩＰ上での音声パケットの交換を再開する。ネットワーク制御部２７は、保留音ＲＴＰパケット送出を停止する（ステップＳ２３）。これにより、電話端末４１及びＩＰ電話端末３１ａの操作者間の通話が再開され得る。
【００２７】
以上のシーケンスにより、ＰＳＴＮ１０を介した割り込み着信を可能とするＩＰ電話通話におけるキャッチホンサービスが実現される。
図４は、図３と同様にＶｏＩＰ中継装置２０のキャッチホンサービス時の処理手順を示しているが、更に、ＩＰ電話端末からの割り込み着信が発生した場合の動作を説明している。本図のシーケンスについて図１に示される構成要素を適宜参照して説明する。ＶｏＩＰ中継装置２０は、加入者線収容部２５と、局線収容部２４と、ＭＰＵ２１の実行による状態管理部と、ネットワーク制御部２７とが協働して動作する。
【００２８】
先ず、加入者線収容部２５を介した電話端末４１とネットワーク制御部を介してＩＰ電話端末、例えばＩＰ電話端末３１ａがＩＰ電話通話をなしている。すなわち、状態管理部（ＭＰＵ）２１は、電話端末４１とＩＰ電話端末３１ａとの間のＶｏＩＰセッションを設定する（ステップＳ３１）。これにより、加入者線収容部２５は、電話端末４１からの通話に対して音声アナログ信号中継処理を行い（ステップＳ３２）。ネットワーク制御部２７は、ＩＰ電話端末３１ａからの通話を音声パケット中継処理する（ステップＳ３３）。両者の間の音声信号はＤＳＰ２３により処理される。
【００２９】
この時、ＩＰ電話端末３１ｂからのＩＰネットワーク３０を介した割り込み着信が発生すると、ネットワーク制御部２７は、ＩＰネットワーク着信を受け付ける（ステップＳ３４）。ネットワーク制御部２７からの着信通知に応じて、状態管理部（ＭＰＵ）２１は、通常の電話交換手順と同様にＩＩＴ（通話中着信表示音）送出指示をなす（ステップＳ３５）。このＩＩＴは、加入者線収容部２５に送出され、電話端末４１にて再生されることで、電話端末４１の操作者は、割り込み着信が到達したことを認識できる。
【００３０】
割り込み着信を認識した電話端末４１の操作者が、この着信を受け付ける場合には、受話器のフッキング操作を行う。若しくは割り込み着信を受け付けるための操作釦を操作する。これに応じて、加入者線収容部２５は、フッキング信号を受け付ける（ステップＳ３６）。
このフッキング信号は、状態管理部２１に通知にされる。これに応じて、状態管理部２１は、これまでのＶｏＩＰセッションを中断して、保留音送出指示を行う（ステップＳ３７）。これに応じて、ネットワーク制御部２７は、ＤＳＰ２３により生成される保留音ＲＴＰパケットをＩＰ電話端末３１ａに送出する（ステップＳ３８）。次いで、状態管理部２１は、電話端末４１とのＩＰ端末３１ｂとの間で、ＶｏＩＰセッションを設定する（ステップＳ３９）。これにより、電話端末４１からの音声パケットは割り込んできたＩＰ端末３１ｂに転送され、一方、ＩＰ電話端末３１ａからの音声パケットは破棄される。すなわち、電話端末４１に対して加入者線収容部２５は、音声アナログ信号中継処理を行い、ＩＰ端末３１ｂに対してネットワーク制御部２７は、音声パケット中継処理を行う（ステップＳ４０及びＳ４０’）。これにより、電話端末４１とのＩＰ端末３１ｂとの通話が可能となる。
【００３１】
電話端末４１とＩＰ端末３１ｂとの間の通話の後に、電話端末４１の操作者が通話を終了すると判断した場合には再びフッキング操作を行う。加入者線収容部２５は、このフッキング信号を受け付ける（ステップＳ４１）。このフッキング信号は状態管理部２１に転送され、状態管理部２１は電話端末４１とＩＰ端末３１ｂのＶｏＩＰセッションを終了し、中断していた電話端末４１とＩＰ端末３１ａとのセッションの回復処理を行う（ステップＳ４２）。すなわち、電話端末４１とＩＰ電話端末３１ａとの間のＶｏＩＰ上での音声パケットの交換を再開する。ネットワーク制御部２７は、保留音ＲＴＰパケット送出を停止する（ステップＳ４３）。これにより、電話端末４１及びＩＰ電話端末３１ａの操作者間の通話が再開され得る。
【００３２】
以上のシーケンスにより、ＩＰネットワーク３０を介した割り込み着信を可能とするＩＰ電話通話におけるキャッチホンサービスが実現される。
以上の実施例においては、発信元及び着信元の２台の対向する電話端末の接続に対して、１つの割り込み電話端末が割り込む形態について説明したが、本発明による電話通信方法及び装置は、会議電話システムの如く２台以上の複数の電話端末が同時に接続されている形態に対しても適用可能である。
【００３３】
【発明の効果】
以上のように、本発明による電話通信方法及び装置によれば、パケットデータネットワークに接続される電話端末に実装されるプロトコルの種類にかかわらず、キャッチホンサービスの実現が可能となる。例えば、ＶｏＩＰを実現するプロトコルとしては、ＩＴＵ−ＴＨ．３２３或いはＳＩＰ等の多様なプロトコルが存在するが、かかるプロトコルの違いに依存せずにキャッチホンサービスが実現されることで、その普及が拡大され得る。
【図面の簡単な説明】
【図１】本発明の実施例であり、ＶｏＩＰ中継装置を含むシステム全体の構成を示しているブロック図である。
【図２】図１に示されるＶｏＩＰ中継装置のソフトウェア構成を示しているブロック図である。
【図３】図１に示されるＶｏＩＰ中継装置において、公衆電話回線網からの割り込み着信時における処理手順を示しているシーケンス図である。
【図４】図１に示されるＶｏＩＰ中継装置において、ＩＰネットワークからの割り込み着信時における処理手順を示しているシーケンス図である。
【符号の説明】
１０  公衆電話回線網（ＰＳＴＮ）
１１ａ、１１ｂ、１１ｃ  アナログ電話端末
２０  ＶｏＩＰ中継装置
２１  ＭＰＵ
２２  記憶部
２３  ＤＳＰ
２４    局線収容部
２５  加入者線収容部
２７  ネットワーク制御部
３０  ＩＰネットワーク
３１ａ乃至３１ｃ  ＩＰ電話端末
４１  電話端末
５０  ＳＩＰプロキシサーバ
【図１】
2005020676.tif 000003
【図２】
2005020676.tif 000004
【図３】
2005020676.tif 000005
【図４】
2005020676.tif 000006